【手続補正書】
【提出日】平成18年11月14日(2006.11.14)
【手続補正１】
【補正対象書類名】明細書
【補正対象項目名】特許請求の範囲
【補正方法】変更
【補正の内容】
【特許請求の範囲】
【請求項１】  電子透かし情報が埋め込まれた広告データを印刷するプリントシステムにおいて、
前記広告データを印刷する際に、電子透かし情報を読み出す読み出し手段と、
前記読み出した電子透かし情報を解析して広告主を特定する特定手段と、
前記広告主特定結果に基づいて、ユーザに対する課金を減じるユーザ課金手段と、
前記広告主特定結果に基づいて、正規の料金と減じた料金との差分を広告主に課金する広告主課金手段とを有したことを特徴とするプリントシステム。
【請求項２】  ネットワーク回線を介して接続されたプリントを行うプリントエンジン、前記プリントエンジンとＬＡＮで接続するサービス端末、及び前記ネットワーク回線上に接続するサーバとにより行われるプリントシステムの課金方法であって、
前記サービス端末で検索／閲覧した広告データをプリントする際に、電子透かし情報が埋め込まれた広告データを取得する広告データ取得ステップと、
前記電子透かし情報を読み出す透かし情報読み出しステップと、
前記読み出した電子透かし情報を解析して広告主を特定する広告主特定ステップと、
前記プリントエンジンに設定した印刷条件に基づき、標準的な料金を算出する料金算出ステップと、
前記広告主特定結果に基づいて、ユーザに対する課金を減じるユーザ課金ステップと、
前記広告主特定結果に基づいて、正規の料金と実際に前記ユーザに課金した分の差分の料金を前記サーバに通知するサーバ通知ステップと、
前記サーバが通知された料金を前記広告主に課金する広告主課金ステップとを有することを特徴とするプリントシステムの課金方法。
【請求項３】  ネットワーク回線を介して接続されたプリントを行うプリントエンジン、前記プリントエンジンとＬＡＮで接続するサービス端末、及び前記ネットワーク回線上に接続するサーバとにより行われるプリントシステムの課金方法であって、
前記サービス端末で検索／閲覧した広告データをプリントする際に電子透かし情報を埋め込まれた広告データを取得する広告データ取得ステップと、
前記電子透かし情報を読み出す透かし情報読み出しステップと、
前記読み出した電子透かし情報を解析して広告主を特定する広告主特定ステップと、
前記読み出した電子透かし情報を解析して各広告に割り当てられた懸賞コードを特定する懸賞コード特定ステップと、
前記プリントエンジンに設定した印刷条件に基づき、標準的な料金を算出する料金算出ステップと、
前記特定された懸賞コードと、予め決められた当選コードとを比較するコード比較ステップと、
前記コード比較処理の結果、前記懸賞コードと前記当選コードとが一致した場合は、前記広告主特定結果に基づいて印刷料金を前記サーバに通知するサーバ通知ステップと、
前記サーバが通知された料金を前記広告主に課金する広告主課金ステップと、
前記コード比較処理の結果、前記懸賞コードと前記当選コードとが一致しない場合は、ユーザに対して前記印刷料金の課金を行うユーザ課金ステップとを有することを特徴とするプリントシステムの課金方法。
【手続補正２】
【補正対象書類名】明細書
【補正対象項目名】０００４
【補正方法】変更
【補正の内容】
【０００４】
しかも、広告欄が小さく訴求力のない広告しか掲載することが出来ない。
かといって、訴求力の高い広告データそのものをプリントしてもらうには印刷料金などユーザの負担が多大であった。
本発明は上述の観点に基づいてなされたものであり、電子透かし情報を埋め込まれた広告データを印刷するプリントシステムにおいて、前記広告データを印刷する際に、電子透かし情報を読み出す手段と、前記読み出した電子透かし情報を解析して広告主を特定する手段と、前記広告主特定結果に基づいて、ユーザに対する課金を減じる手段と、前記広告主特定結果に基づいて、正規の料金と減じた料金の差分を広告主に課金する手段とを有したプリントシステムを提供する。
【手続補正３】
【補正対象書類名】明細書
【補正対象項目名】０００５
【補正方法】変更
【補正の内容】
【０００５】
【課題を解決するための手段】
本発明のプリンタシステムは、電子透かし情報が埋め込まれた広告データを印刷するプリントシステムにおいて、前記広告データを印刷する際に、電子透かし情報を読み出す読み出し手段と、前記読み出した電子透かし情報を解析して広告主を特定する特定手段と、前記広告主特定結果に基づいて、ユーザに対する課金を減じるユーザ課金手段と、前記広告主特定結果に基づいて、正規の料金と減じた料金との差分を広告主に課金する広告主課金手段とを有したことを特徴とする。
また、本発明のプリンタシステムの課金方法は、ネットワーク回線を介して接続されたプリントを行うプリントエンジン、前記プリントエンジンとＬＡＮで接続するサービス端末、及び前記ネットワーク回線上に接続するサーバとにより行われるプリントシステムの課金方法であって、前記サービス端末で検索／閲覧した広告データをプリントする際に、電子透かし情報が埋め込まれた広告データを取得する広告データ取得ステップと、前記電子透かし情報を読み出す透かし情報読み出しステップと、前記読み出した電子透かし情報を解析して広告主を特定する広告主特定ステップと、前記プリントエンジンに設定した印刷条件に基づき、標準的な料金を算出する料金算出ステップと、前記広告主特定結果に基づいて、ユーザに対する課金を減じるユーザ課金ステップと、前記広告主特定結果に基づいて、正規の料金と実際に前記ユーザに課金した分の差分の料金を前記サーバに通知するサーバ通知ステップと、前記サーバが通知された料金を前記広告主に課金する広告主課金ステップとを有することを特徴とする。
また、本発明のプリンタシステムの課金方法は、ネットワーク回線を介して接続されたプリントを行うプリントエンジン、前記プリントエンジンとＬＡＮで接続するサービス端末、及び前記ネットワーク回線上に接続するサーバとにより行われるプリントシステムの課金方法であって、前記サービス端末で検索／閲覧した広告データをプリントする際に電子透かし情報を埋め込まれた広告データを取得する広告データ取得ステップと、前記電子透かし情報を読み出す透かし情報読み出しステップと、前記読み出した電子透かし情報を解析して広告主を特定する広告主特定ステップと、前記読み出した電子透かし情報を解析して各広告に割り当てられた懸賞コードを特定する懸賞コード特定ステップと、前記プリントエンジンに設定した印刷条件に基づき、標準的な料金を算出する料金算出ステップと、前記特定された懸賞コードと、予め決められた当選コードとを比較するコード比較ステップと、前記コード比較処理の結果、前記懸賞コードと前記当選コードとが一致した場合は、前記広告主特定結果に基づいて印刷料金を前記サーバに通知するサーバ通知ステップと、前記サーバが通知された料金を前記広告主に課金する広告主課金ステップと、前記コード比較処理の結果、前記懸賞コードと前記当選コードとが一致しない場合は、ユーザに対して前記印刷料金の課金を行うユーザ課金ステップとを有することを特徴とする。
【手続補正４】
【補正対象書類名】明細書
【補正対象項目名】００１２
【補正方法】変更
【補正の内容】
【００１２】
プリントエンジン１０１は、ネットワークＩ／Ｆ２０１により広告コンテンツ情報のプリントジョブを受け取り（読み出し手段）、文書記憶部２０２に記憶させる。
文書記憶部２０２に記憶されたデータは、必要な画像処理を行う為に画像処理部２０４に送る。
【手続補正５】
【補正対象書類名】明細書
【補正対象項目名】００１７
【補正方法】変更
【補正の内容】
【００１７】
電子透かし判定部３０３は、参照データ記憶部２０６の広告主データを参照して、抽出された電子透かしデータに該当する広告主を判別し、広告主特定情報を出力する（特定手段）。広告主特定情報は制御部２０３に送られる。
【手続補正６】
【補正対象書類名】明細書
【補正対象項目名】００１８
【補正方法】変更
【補正の内容】
【００１８】
制御部２０３は、広告主特定情報と印刷料金の内広告主に課金する料金とを、ネットワークＩ／Ｆ２０１を通じて、料金管理サーバ１０７に送る。
料金管理サーバ１０７は、送られてきた情報に基づいて、広告主に課金する（ユーザ課金手段及び広告主課金手段）。
【手続補正７】
【補正対象書類名】明細書
【補正対象項目名】００２８
【補正方法】変更
【補正の内容】
【００２８】
以下に本発明の特徴を説明する。
（附記１）電子透かし情報が埋め込まれた広告データを印刷するプリントシステムにおいて、前記広告データを印刷する際に、電子透かし情報を読み出す読み出し手段と、前記読み出した電子透かし情報を解析して広告主を特定する特定手段と、前記広告主特定結果に基づいて、ユーザに対する課金を減じるユーザ課金手段と、前記広告主特定結果に基づいて、正規の料金と減じた料金との差分を広告主に課金する広告主課金手段とを有したプリントシステム。